(57)【要約】  本技術の一実施の形態にかかる電子機器は、取得部、決定部および指示部を備えている。取得部は、第１デザイン画像または第１デザイン画像に対応する対応データを取得する。決定部は、取得部で取得した第１デザイン画像または対応データに基づいて、第１デザイン画像とは異なる１または複数の第２デザイン画像を決定する。指示部は、決定部で決定した１つの第２デザイン画像、または、決定部で決定した複数の第２デザイン画像のうち少なくとも１つを印刷する指示を出す。
2017104545.tif 000002
【特許請求の範囲】
【請求項１】
第１デザイン画像または前記第１デザイン画像に対応する対応データを取得する取得部と、
前記取得部で取得した前記第１デザイン画像または前記対応データに基づいて、前記第１デザイン画像とは異なる１または複数の第２デザイン画像を決定する決定部と、
前記決定部で決定した１または複数の前記第２デザイン画像の印刷を指示する指示部と
を備えた
電子機器。
【請求項２】
複数の第３デザイン画像を記憶する記憶部をさらに備え、
前記決定部は、複数の前記第３デザイン画像の中から１または複数の前記第２デザイン画像を決定する
請求項１に記載の電子機器。
【請求項３】
前記記憶部は、複数の前記第３デザイン画像をグループごとに管理する管理テーブルをさらに記憶し、
前記決定部は、前記第１デザイン画像のグループと同一のグループに属する複数の前記第３デザイン画像の中から１または複数の前記第２デザイン画像を決定する
請求項２に記載の電子機器。
【請求項４】
前記決定部は、前記第１デザイン画像と複数の前記第３デザイン画像とのマッチングを行い、その結果、マッチした１または複数の前記第３デザイン画像のグループと同一のグループに属する複数の前記第３デザイン画像の中から１または複数の前記第２デザイン画像を決定する
請求項３に記載の電子機器。
【請求項５】
前記取得部は、前記第１デザイン画像を撮像により取得する撮像装置である
請求項１に記載の電子機器。
【請求項６】
前記取得部は、前記第１デザイン画像として、原デザイン画像に挿入デザイン画像が合成されたデザイン画像を撮像したのち、前記第１デザイン画像から分離した前記挿入デザイン画像に基づいて前記対応データを取得する読み取り装置である
請求項１に記載の電子機器。
【請求項７】
前記取得部は、電子タグから読み取ることにより前記対応データを取得する読み取り装置である
請求項１に記載の電子機器。
【請求項８】
前記指示部による指示に従って印刷を行う印刷部をさらに備えた
請求項１に記載の電子機器。
【請求項９】
印刷装置から、第１デザイン画像または前記第１デザイン画像に対応する対応データを受信する受信部と、
前記受信部で受信した前記第１デザイン画像または前記対応データに基づいて、前記第１デザイン画像とは異なる１または複数の第２デザイン画像を決定する決定部と、
前記決定部で決定した１または複数の前記第２デザイン画像を前記印刷装置に送信する送信部と
を備えた
情報処理装置。
【請求項１０】
複数の第３デザイン画像を記憶する記憶部をさらに備え、
前記決定部は、複数の前記第３デザイン画像の中から１または複数の前記第２デザイン画像を決定する
請求項９に記載の情報処理装置。
【請求項１１】
前記記憶部は、複数の前記第３デザイン画像をグループごとに管理する管理テーブルをさらに記憶し、
前記決定部は、前記第１デザイン画像のグループと同一のグループに属する複数の前記第３デザイン画像の中から１または複数の前記第２デザイン画像を決定する
請求項１０に記載の情報処理装置。
【請求項１２】
前記決定部は、前記第１デザイン画像と複数の前記第３デザイン画像とのマッチングを行い、その結果、マッチした１または複数の前記第３デザイン画像のグループと同一のグループに属する複数の前記第３デザイン画像の中から１または複数の前記第２デザイン画像を決定する
請求項１１に記載の情報処理装置。
【請求項１３】
互いに通信可能な印刷装置および情報処理装置を備え、
前記印刷装置は、
第１デザイン画像または前記第１デザイン画像に対応する対応データを取得する取得部と、
前記取得部で取得した前記第１デザイン画像または前記対応データを前記情報処理装置に送信する第１送信部と、
前記情報処理装置から前記第１デザイン画像とは異なる１または複数の第２デザイン画像を受信する第１受信部と、
前記第１受信部で受信した１または複数の前記第２デザイン画像の印刷を指示する指示部と、
前記指示部による指示に従って印刷を行う印刷部と
を有し、
前記情報処理装置は、
前記印刷装置から前記第１デザイン画像または前記対応データを受信する第２受信部と、
前記第２受信部で受信した前記第１デザイン画像または前記対応データに基づいて、１または複数の前記第２デザイン画像を決定する決定部と、
前記決定部で決定した１または複数の前記第２デザイン画像を前記印刷装置に送信する第２送信部と
を有する
印刷システム。
【請求項１４】
第１デザイン画像または前記第１デザイン画像に対応する対応データを取得したのち、取得した前記第１デザイン画像または前記対応データに基づいて、前記第１デザイン画像とは異なる１または複数の第２デザイン画像を決定することと、
決定した１または複数の前記第２デザイン画像を印刷することと
を含む
印刷方法。
【発明の詳細な説明】
【技術分野】
【０００１】
本技術は、電子機器、情報処理装置、印刷システムおよび印刷方法に関する。
【背景技術】
【０００２】
近年、ジェル状の硬化樹脂を紫外光で固めるジェルネイルが流行している。また、最近では、サロンだけでなく、自宅でもジェルネイルを楽しむ人が増えている。時間や費用を考慮すると、サロンに行くよりも自宅でジェルネイルを楽しむ方が優位である。しかし、自宅でジェルネイルを楽しむには、道具や技術が必要であり、デザインや仕上がりの点では、自宅はサロンに劣ってしまうこともある。【０００３】
さらに、昨今では、爪またはネイルチップに所望のデザインを印刷するネイル印刷装置が普及し始めている。家庭用のネイル印刷装置であれば、サロンにでかける手間や時間を省くことができ、ジェルネイルをする度に発生する費用も低く抑えることができる。さらに、デザインや仕上がりの点でも、サロンに劣らないジェルネイルを自宅で実現することができる。【０００４】
近年、このようなネイル印刷装置に関する技術が、いくつか開示されている。例えば、特許文献１では、多種多様なデザイン画像を各爪に印刷する技術が開示されている。また、特許文献２では、他人の爪に施されているデザイン画像を撮影し、撮影により得られたデザイン画像を自身の爪またはネイルチップシートに印刷する技術が開示されている。また、特許文献３では、デザイン画像の書き換え可能な電子ペーパー層を有する爪装飾シートが開示されている。
【先行技術文献】
【特許文献】
【０００５】
【特許文献１】特開２０１２−１０８４８号公報
【特許文献２】特開２０１２−１３５５８７号公報
【特許文献３】特開２０１２−２００３５号公報
【発明の概要】
【０００６】
ところで、従来のネイル印刷装置では、あらかじめ用意された複数のデザイン画像の中からユーザが選択したものや、ユーザ自らが入力したデザイン画像が印刷される。そのため、装置側で印刷用のデザイン画像を状況に応じて自動的に設定することができなかった。
【０００７】
したがって、装置側で印刷用のデザイン画像を状況に応じて自動的に設定することの可能な電子機器、情報処理装置、印刷システムおよび印刷方法を提供することが望ましい。
【０００８】
本技術の一実施の形態に係る電子機器は、取得部、決定部および指示部を備えている。取得部は、第１デザイン画像または第１デザイン画像に対応する対応データを取得する。決定部は、取得部で取得した第１デザイン画像または対応データに基づいて、第１デザイン画像とは異なる１または複数の第２デザイン画像を決定する。指示部は、決定部で決定した１または複数の第２デザイン画像の印刷を指示する。
【０００９】
本技術の一実施の形態に係る情報処理装置は、受信部、決定部および送信部を備えている。受信部は、印刷装置から、第１デザイン画像または第１デザイン画像に対応する対応データを受信する。決定部は、受信部で受信した第１デザイン画像または対応データに基づいて、第１デザイン画像とは異なる１または複数の第２デザイン画像を決定する。送信部は、決定部で決定した１または複数の第２デザイン画像を印刷装置に送信する。
【００１０】
本技術の一実施の形態に係る印刷システムは、互いに通信可能な印刷装置および情報処理装置を備えている。印刷装置は、取得部、第１送信部、第１受信部、指示部および印刷部を有している。取得部は、第１デザイン画像または第１デザイン画像に対応する対応データを取得する。第１送信部は、取得部で取得した第１デザイン画像または対応データを情報処理装置に送信する。第１受信部は、情報処理装置から第１デザイン画像とは異なる１または複数の第２デザイン画像を受信する。指示部は、第１受信部で受信した１または複数の第２デザイン画像の印刷を指示する。印刷部は、指示部による指示に従って印刷を行う。情報処理装置は、第２受信部、決定部および第２送信部を有している。第２受信部は、印刷装置から第１デザイン画像または対応データを受信する。決定部は、第２受信部で受信した第１デザイン画像または対応データに基づいて、１または複数の第２デザイン画像を決定する。第２送信部は、決定部で決定した１または複数の第２デザイン画像を印刷装置に送信する。
【００１１】
本技術の一実施の形態に係る印刷方法は、以下の２つのステップを含むものである。
（Ａ）第１デザイン画像または第１デザイン画像に対応する対応データを取得したのち、取得した第１デザイン画像または対応データに基づいて、第１デザイン画像とは異なる１または複数の第２デザイン画像を決定すること
（Ｂ）決定した１または複数の第２デザイン画像を印刷すること
【００１２】
本技術の一実施の形態に係る電子機器、情報処理装置、印刷システムおよび印刷方法では、取得した第１デザイン画像または対応データに基づいて、第１デザイン画像とは異なる１または複数の第２デザイン画像が決定される。これにより、印刷用の１または複数のデザイン画像を、取得した第１デザイン画像または対応データに基づいて設定することができる。
【００１３】
本技術の一実施の形態に係る電子機器、情報処理装置、印刷システムおよび印刷方法によれば、取得した第１デザイン画像または対応データに基づいて、第１デザイン画像とは異なる１または複数の第２デザイン画像を決定するようにしたので、印刷用の１または複数のデザイン画像を状況に応じて自動的に設定することができる。なお、本技術の効果は、ここに記載された効果に必ずしも限定されず、本明細書中に記載されたいずれの効果であってもよい。
【図面の簡単な説明】
【００１４】
【図１】本技術の第１の実施形態に係る印刷装置の機能ブロックの一例を表す図である。
【図２】図１のデザイン画像について説明するための図である。
【図３】図１の管理テーブルの構成の一例を表す図である。
【図４】１または複数のデザイン画像の決定手順の一例を概念的に表したものである。
【図５】図１の印刷装置の概略構成の一例を表す図である。
【図６】図１の印刷装置を用いたイベントの様子を表す図である。
【図７】図１の印刷装置における印刷手順の一例を表す図である。
【図８】図１の印刷装置に指を挿入した時の様子を表す図である。
【図９】図８の「印刷条件の設定」における手順の一例を表す図である。
【図１０】指の爪に印刷を行った時の様子を表す図である。
【図１１】図１の印刷装置における印刷手順の他の例を表す図である。
【図１２】図１１の「デザインの検出」における手順の一例を表す図である。
【図１３】図１１の「デザインの決定」における手順の一例を表す図である。
【図１４】図１の印刷装置の機能ブロックの他の例を表す図である。
【図１５】本技術の第２の実施形態に係る印刷システムの概略構成の一例を表す図である。
【図１６】図１５の印刷システムの機能ブロックの一例を表す図である。
【図１７】図１６の印刷システムの機能ブロックの他の例を表す図である。
【図１８】印刷物の一例を表す図である。
【図１９】印刷物に埋め込んだ電子タグと読み取り装置との間で通信する様子を表す図である。
【発明を実施するための形態】
【００１５】
以下、本技術を実施するための形態について、図面を参照して詳細に説明する。なお、説明は以下の順序で行う。
１．第１の実施の形態（印刷装置）
２．第１の実施の形態の変形例（印刷装置）
３．第２の実施の形態（印刷システム）
４．第２の実施の形態の変形例（印刷システム）
５．各実施の形態に共通の変形例
【００１６】
＜１．実施の形態＞
[構成]
まず、本技術の第１の実施の形態に係る印刷装置１について説明する。なお、印刷装置１は、本技術の「電子機器」の一具体例に相当する。図１は、印刷装置１の機能ブロックの一例を表したものである。印刷装置１は、被印刷面にデザイン画像を印刷する装置である。「被印刷面」は、例えば、指の爪の表面、ネイルチップの表面、または、ネイルチップシートの表面である。「被印刷面」は、例えば、コップや紙媒体などの表面であってもよい。
【００１７】
印刷装置１は、例えば、図１に示したように、カメラ１０、記憶部２０、デザイン検出部３０、デザイン決定部４０、操作部５０、印刷条件決定部６０および印刷部７０を備えている。カメラ１０は、本技術の「取得部」「撮像装置」の一具体例に相当する。記憶部２０は、本技術の「記憶部」の一具体例に相当する。デザイン検出部３０およびデザイン決定部４０は、本技術の「決定部」の一具体例に相当する。印刷条件決定部６０は、本技術の「指示部」の一具体例に相当する。印刷部７０は、本技術の「印刷部」の一具体例に相当する。
【００１８】
操作部５０は、ユーザからの情報入力を受け付ける装置である。操作部５０は、例えば、映像表示機能を有するタッチパネルを含んで構成されている。操作部５０は、例えば、キーボードまたはマウスなどを含んで構成されていてもよい。なお、以下では、操作部５０が、映像表示機能を有するタッチパネルを含んで構成されているものとして説明する。
【００１９】
カメラ１０は、被印刷面を撮像可能な撮像装置であり、デザイン画像１０Ａを撮像により取得する。デザイン画像１０Ａは、本技術の「第１デザイン画像」の一具体例に相当する。カメラ１０は、例えば、２眼カメラであり、２眼カメラで取得したステレオ画像をデザイン画像１０Ａとしてデザイン検出部３０に出力するようになっている。なお、撮像装置は、１眼カメラであってもよい。ただし、この場合には、撮像装置は、１眼カメラで取得した画像をデザイン画像１０Ａとしてデザイン検出部３０に出力するようになっている。カメラ１０は、例えば、ＣＭＯＳ（Complementary Metal Oxide Semiconductor）イメージセンサ、または、ＣＣＤ（Charge Coupled Device）イメージセンサを含んで構成されている。
【００２０】
記憶部２０は、例えば、複数のデザイン画像２１および管理テーブル２２を記憶している。記憶部２０内の複数のデザイン画像２１は、本技術の「複数の第３デザイン画像」の一具体例に相当する。管理テーブル２２は、本技術の「管理テーブル」の一具体例に相当する。記憶部２０は、例えば、不揮発性メモリによって構成されており、例えば、ＥＥＰＲＯＭ（Electrically Erasable Programmable Read-Only Memory）、フラッシュメモリ、抵抗変化型メモリなどによって構成されている。各デザイン画像２１は、印刷用の画像データであり、例えば、イラストや写真などを含んで構成されている。
【００２１】
各デザイン画像２１は、例えば、図２に示したように、固有のデザインＩＤを有している。例えば、各デザイン画像２１のファイル名がデザインＩＤで構成されているか、またはデザインＩＤを含んで構成されている。また、例えば、各デザイン画像２１に設定されたプロパティ内に、デザインＩＤが含まれている。このように、各デザイン画像２１には、固有のデザインＩＤが対応付けられている。
【００２２】
図３は、管理テーブル２２の構成の一例を表したものである。管理テーブル２２は、複数のデザイン画像２１をグループごとに管理するものである。管理テーブル２２は、例えば、図３に示したように、キャラクタＩＤ、グループＩＤ、メンバＩＤ、種類、デザインＩＤ、グループ条件および印刷可否を含んでいる。キャラクタＩＤ、グループＩＤ、メンバＩＤ、種類、グループ条件および印刷可否からなる一組のデータは、デザインＩＤごとに対応付けられている。
【００２３】
キャラクタＩＤは、印刷装置１の管理をする人、場所、もしくはキャラクタ（以下、「キャラクタ等」と称する。）に付与された識別子である。図３には、少なくとも、「キャラクタＩＤ＝１」のキャラクタ等および「キャラクタＩＤ＝２」のキャラクタ等のための管理テーブル２２が例示されている。「キャラクタ」とは、物語を構成するために位置づけされる登場人物を指している。グループＩＤは、共通の性質で分類した物の一団に付与された識別子である。記憶部２０に記憶されている各デザイン画像２１には、何らかのグループＩＤが対応付けられている。メンバＩＤは、共通のグループＩＤに属する複数のデザイン画像２１において、デザイン画像２１ごとに付与された識別子である。種類は、デザインの種類である。図３の管理テーブル２２では、デザインの種類として、「グループデザイン」および「通常デザイン」が規定されている。「グループデザイン」とは、グループＩＤごとに用意された特別なデザインを指している。「通常デザイン」とは、グループＩＤごとに用意された通常のデザインを指している。
【００２４】
グループ条件は、デザイン決定部４０が１または複数のデザイン画像２１を選択する際の選択条件である。図３に記載の「メンバＩＤ＝２，３」とは、「デザイン検出部３０から出力された検出結果３０Ａの中に、メンバＩＤ＝２に対応するデザインＩＤと、メンバＩＤ＝３に対応するデザインＩＤとが含まれていること」を意味している。つまり、図３において、デザインＩＤ＝１のグループ条件は、「デザインＩＤ＝２のデザイン画像２１、およびデザインＩＤ＝３のデザイン画像２１が既に印刷されているときのみ、デザインＩＤ＝１のデザイン画像２１の選択が許可される」という条件となっている。
【００２５】
印刷可否は、デザインＩＤに対応するデザイン画像２１と、キャラクタＩＤに対応するキャラクタ等との関係に基づいて設定されるフラグである。例えば、あるデザインＩＤに対応するデザイン画像２１の中に、そのキャラクタＩＤに対応するキャラクタ等が含まれている場合がある。この場合に、そのキャラクタＩＤとは異なるキャラクタＩＤが操作部５０から入力されたときに、そのデザイン画像２１が選択されることのないよう、そのデザイン画像２１に対応するデザインＩＤに対して、印刷可否＝不可が設定されている。
【００２６】
デザイン検出部３０およびデザイン決定部４０は、カメラ１０で取得したデザイン画像１０Ａに基づいて、デザイン画像１０Ａとは異なる１または複数のデザイン画像２１を決定する。デザイン検出部３０およびデザイン決定部４０は、カメラ１０で取得したデザイン画像１０Ａのグループと同一のグループに属する複数のデザイン画像２１の中から１または複数のデザイン画像２１を決定する。デザイン検出部３０およびデザイン決定部４０によって決定される１または複数のデザイン画像２１が、本技術の「第２デザイン画像」の一具体例に相当する。
【００２７】
図４は、デザイン検出部３０およびデザイン決定部４０における１または複数のデザイン画像２１の決定手順の一例を概念的に表したものである。デザイン検出部３０は、カメラ１０から入力されたデザイン画像１０Ａのグループと同一のグループに属する複数のデザイン画像２１の中から１または複数のデザイン画像２１を検出する。以下では、デザイン検出部３０によって検出される１または複数のデザイン画像２１を１または複数のデザイン画像３０Ｂと称するものとする。
【００２８】
具体的には、デザイン検出部３０は、カメラ１０から入力されたデザイン画像１０Ａと、記憶部２０から読み出した複数のデザイン画像２１とのマッチングを行う。例えば、デザイン検出部３０は、カメラ１０から入力されたデザイン画像１０Ａの中に、記憶部２０から読み出した複数のデザイン画像２１が含まれるか否か判定する。その結果、マッチした場合（含まれると判定された場合）には、デザイン検出部３０は、マッチした１または複数のデザイン画像２１のグループと同一のグループに属する複数のデザイン画像２１の中から、マッチしたデザイン画像２１とは異なる１または複数のデザイン画像２１（３０Ｂ）を抽出する。このとき、デザイン検出部３０は、記憶部２０から読み出した管理テーブル２２に基づいて、マッチした１または複数のデザイン画像２１のグループと同一のグループに属する複数のデザイン画像２１の中から１または複数のデザイン画像３０Ｂを抽出する。デザイン検出部３０は、抽出した１または複数のデザイン画像３０ＢのデザインＩＤと、マッチした１または複数のデザイン画像２１のメンバＩＤとを検出結果３０Ａとしてデザイン決定部４０に出力する。
【００２９】
例えば、デザイン検出部３０は、まず、マッチした（含まれると判定された）１または複数のデザイン画像２１のグループＩＤを、管理テーブル２２から読み出す。デザイン検出部３０は、次に、読み出したグループＩＤと同一のグループＩＤに属する各デザインＩＤを、各デザインＩＤに対応するメンバＩＤとともに管理テーブル２２から読み出す。このとき、デザイン検出部３０は、読み出した複数のデザインＩＤの中から、マッチした（含まれると判定された）１または複数のデザイン画像２１のデザインＩＤを除外する。デザイン検出部３０は、除外した結果、残った１または複数のデザインＩＤと、マッチした１または複数のデザイン画像２１のメンバＩＤとを検出結果３０Ａとしてデザイン決定部４０に出力する。
【００３０】
デザイン決定部４０は、必要に応じて、１または複数のデザイン画像３０ＢのデザインＩＤの中に、印刷不可のデザインＩＤが含まれているか否か判定する。例えば、あるデザインＩＤに対応する印刷可否が「不可」となっている場合、デザイン検出部３０は、そのデザインＩＤに対応するキャラクタＩＤを管理テーブル２２から読み出し、読み出したキャラクタＩＤと、操作部５０から入力されたキャラクタＩＤとを対比する。対比した結果、読み出したキャラクタＩＤと、操作部５０から入力されたキャラクタＩＤとが一致した場合には、デザイン検出部３０は、１または複数のデザイン画像３０ＢのデザインＩＤの中から、「印刷可否＝不可」のデザインＩＤを除外したものを選択する。また、対比した結果、読み出したキャラクタＩＤと、操作部５０から入力されたキャラクタＩＤとが一致しなかった場合には、デザイン検出部３０は、「印刷可否＝不可」のデザインＩＤを含む１または複数のデザイン画像３０ＢのデザインＩＤを選択する。
【００３１】
デザイン決定部４０は、さらに、必要に応じて、１または複数のデザイン画像３０ＢのデザインＩＤの中に、グループ条件を満たさないデザインＩＤが含まれているか否か判定する。例えば、あるデザインＩＤに対応するグループ条件が「メンバＩＤ＝２，３」となっている場合、デザイン検出部３０は、マッチした１または複数のデザイン画像２１のメンバＩＤと、メンバＩＤ＝２，３とを対比する。対比した結果、マッチした１または複数のデザイン画像２１のメンバＩＤの中に、メンバＩＤ＝２，３が含まれていなかった場合には、デザイン検出部３０は、１または複数のデザイン画像３０ＢのデザインＩＤの中から、グループ条件が「メンバＩＤ＝２，３」となっているメンバＩＤを除外したものを選択する。また、対比した結果、マッチした１または複数のデザイン画像２１のメンバＩＤの中に、メンバＩＤ＝２，３が含まれていた場合には、デザイン検出部３０は、グループ条件が「メンバＩＤ＝２，３」となっている１または複数のデザインＩＤを選択する。
【００３２】
デザイン決定部４０は、検出結果３０Ａの中に含まれる１または複数のデザインＩＤ、または、グループ条件および印刷可否のうち少なくとも一方に基づいて選択した１または複数のデザインＩＤの中から、印刷用の１または複数のデザインＩＤを決定する。デザイン決定部４０は、決定した１または複数のデザインＩＤに対応するデザイン画像４０Ａを印刷条件決定部６０に出力する。デザイン決定部４０は、例えば、印刷用の１または複数のデザインＩＤの決定を、ユーザからの指示に依らずに所定の規則に従って行う。デザイン決定部４０は、例えば、印刷用の１または複数のデザインＩＤの決定を、ユーザからの指示に従って決定してもよい。以下に、印刷用の１または複数のデザインＩＤを、ユーザからの指示に従って決定する方法について説明する。
【００３３】
（ユーザからの指示）
デザイン決定部４０は、検出結果３０Ａの中に含まれる１または複数のデザインＩＤ、または、グループ条件および印刷可否のうち少なくとも一方に基づいて選択した１または複数のデザインＩＤを操作部５０に出力する。デザイン決定部４０は、さらに、操作部５０に出力した各デザインＩＤに対応するデザイン画像２１を操作部５０に出力する。その後、デザイン決定部４０は、操作部５０から１または複数のデザインＩＤを受け付ける。なお、操作部５０は、デザイン決定部４０から１または複数のデザイン画像２１が入力されると、入力された各デザイン画像２１を表示するとともに、ユーザに対して、１または複数のデザイン画像２１の選択を促す。操作部５０は、ユーザによって１または複数のデザイン画像２１が選択されると、選択された１または複数のデザイン画像２１のデザインＩＤをデザイン決定部４０に出力する。デザイン決定部４０は、操作部５０から入力された１または複数のデザインＩＤを印刷用の１または複数のデザインＩＤとして決定する。
【００３４】
印刷条件決定部６０は、デザイン決定部４０から入力された１または複数のデザイン画像４０Ａの印刷位置を決定する。例えば、印刷条件決定部６０は、カメラ１０で得られたデザイン画像１０Ａの中から、印刷に適した領域（例えば、未印刷の爪）を検出し、検出した領域を印刷位置として決定する。また、例えば、印刷条件決定部６０は、カメラ１０で得られたデザイン画像１０Ａを操作部５０に出力したのち、操作部５０から位置情報を受け付け、受け付けた位置情報を印刷位置として決定する。
【００３５】
なお、操作部５０は、印刷条件決定部６０からデザイン画像１０Ａが入力されると、入力されたデザイン画像１０Ａを表示するとともに、ユーザに対して、印刷位置の選択を促す。操作部５０は、ユーザによって印刷位置が選択されると、選択された印刷位置を印刷条件決定部６０に出力する。
【００３６】
印刷条件決定部６０は、デザイン決定部４０で決定した１または複数のデザイン画像４０Ａの印刷を指示する。具体的には、印刷条件決定部６０は、決定した印刷位置と、デザイン決定部４０から入力された１または複数のデザイン画像４０Ａとを印刷データ６０Ａとして印刷部７０に出力する。
【００３７】
印刷部７０は、印刷条件決定部６０による指示に従って印刷を行う。具体的には、印刷部７０は、印刷データ６０Ａに含まれる印刷位置に、印刷データ６０Ａに含まれる１または複数のデザイン画像４０Ａを印刷する。
【００３８】
図５は、印刷装置１の概略構成の一例を表したものである。印刷装置１は、例えば、被印刷面である爪１００Ａにデザイン画像を印刷する装置である。「被印刷面」は、例えば、爪１００Ａの表面以外の表面であってもよく、例えば、ネイルチップの表面、または、ネイルチップシートの表面であってもよい。なお、印刷装置１は、図５に記載の構成に限定されるものではない。
【００３９】
印刷装置１は、例えば、図５に示したように、カメラ１０と、記憶部２０と、操作部５０と、印刷部７０と、制御部１４０とを備えている。制御部１４０が、上述のデザイン検出部３０、デザイン決定部４０および印刷条件決定部６０に相当する。印刷部７０は、例えば、光源部１１０と、可動ミラー１２０と、駆動部１３０とを有している。
【００４０】
光源部１１０は、駆動部１３０からの駆動信号に基づいて、コリメート光を出力するようになっている。光源部１１０は、例えば、紫外光を出力する発光素子１１１と、紫外光の光路上に配置されたコリメートレンズ１１２とを含んでいる。
【００４１】
発光素子１１１は、例えば、１もしくは複数の半導体レーザ、または、１もしくは複数の発光ダイオードを含んでいる。半導体レーザは、一般的なものであってもよいし、ＳＨＧ（Second Harmonic Generation）レーザなどの特殊なものであってもよい。発光ダイオードは、一般的なものであってもよいし、例えば、スーパールミネッセントダイオード（ＳＬＤ）などの特殊なものであってもよい。紫外光を出力する半導体レーザまたは発光ダイオードは、例えば、４０５ｎｍ帯の光を出力可能なＧａＩｎＮ系の半導体を含んで構成されている。紫外光を出力する半導体レーザは、例えば、ｎ型ＧａＮ基板上に、ｎ型ＡｌＧaＮクラッド層、ｎ型ＧａＮガイド層、ＧａＩｎＮ多重量子井戸層、ｐ型ＡｌＧaＮ電子ブロック層、ｐ型ＧａＮガイド層、ｐ型ＡｌＧaＮクラッド層、およびｐ型ＧａＮコンタクト層をこの積層して構成されている。一般に、半導体レーザでは、ビームスポット径が発光ダイオードのビームスポット径よりも小さくなっている。そのため、発光素子１１１として、１もしくは複数の半導体レーザが用いられている場合には、発光素子１１１のビームスポット径が非常に小さいので、高いエネルギー密度が容易に得られる。
【００４２】
コリメートレンズ１１２は、発光素子１１１から出力された光を、レンズによる屈折を用いて平行な光束（コリメート光Ｌｃ１）にするようになっている。なお、光源部１１０は、コリメートレンズ１１２の代わりに、発光素子１１１から出力された光を、ミラーによる反射を用いて平行な光束にする光学部品を有していてもよい。
【００４３】
可動ミラー１２０は、光源部１１０から出力されたコリメート光Ｌｃ１の光路上に配置されている。可動ミラー１２０は、当該可動ミラー１２０に入射してきた光の光路を変位させるものである。可動ミラー１２０は、光源部１１０から出力されたコリメート光Ｌｃ１を反射するとともに、駆動部１３０からの駆動信号に基づいて可動ミラー１２０を変位させ、それにより反射光Ｌｒ１の光路を変位させることにより、コリメート光Ｌｃ１（反射光Ｌｒ１）を対象面Ｓｔ上で走査させるようになっている。可動ミラー１２０は、例えば、ＭＥＭＳ（Micro Electro Mechanical Systems）ミラー、ポリゴンミラー、または、ガルバノミラーを含んで構成されている。
【００４４】
駆動部１３０は、制御部１４０からの制御信号に基づいて、光源部１１０および可動ミラー１２０を駆動するようになっている。制御部１４０は、駆動部１３０を介して、光源部１１０および可動ミラー１２０を制御するようになっている。制御部１４０は、駆動部１３０を介して、可動ミラー１２０を変位させ、可動ミラー１２０により光路を変位させることにより、コリメート光Ｌｃ１（可動ミラー１２０で反射した光（反射光Ｌｒ１））を爪１００Ａ上で走査させるようになっている。制御部１４０は、さらに、印刷データ６０Ａに基づいて光源部１１０の発光を制御するようになっている。
【００４５】
[動作]
次に、印刷装置１における印刷手順の一例について説明する。以下では、最初の印刷を行うときと、２回目以降の印刷を行うときとで、印刷手順を分けて説明する。また、以下では、例えば、図６に示したように、テーマパーク来場者であるユーザＣが、テーマパーク内で出会ったキャラクタから、そのキャラクタのネイルアートを収集するイベントにおいて、テーマパーク内のキャラクタＡ、キャラクタＢがそれぞれ、印刷装置１を保有している場合を想定した印刷手順について説明する。
【００４６】
（最初の印刷）
図７は、印刷装置１において最初の印刷を行うときの印刷手順の一例を表したものである。まず、印刷装置１は、初期設定を実施する（ステップＳ１０１）。印刷装置１は、例えば、初期設定として、キャラクタＩＤの入力を、印刷装置の保有者に要求する。保有者は、印刷装置１からの要求に応じて、キャラクタＩＤを操作部５０に入力する。保有者がキャラクタＡであった場合、キャラクタＡは、自身のキャラクタＩＤ（例えば、キャラクタＩＤ＝１）を操作部５０に入力する。操作部５０は、入力されたキャラクタＩＤをデザイン決定部４０に出力する。
【００４７】
次に、印刷装置１は、１または複数のデザイン画像４０Ａを決定する（ステップＳ１０２）。
【００４８】
印刷装置１は、まず、被印刷面の準備をユーザＣに要求する。印刷装置１は、例えば、ユーザＣの指を印刷装置１における所定の位置に置くよう要求する。ユーザＣは、印刷装置１からの要求に応じて、自身の指を印刷装置１における所定の位置に置く。ユーザＣは、例えば、図８に示したように、自身の手１０１を、自身の指１００が挿入口１Ｂに入るように置く。次に、カメラ１０が、被印刷面（ユーザＣの爪１００Ａ）を撮影し、デザイン画像１０Ａを取得する。カメラ１０は、取得したデザイン画像１０Ａをデザイン検出部３０に出力する。
【００４９】
デザイン検出部３０は、カメラ１０から入力されたデザイン画像１０Ａと、記憶部２０から読み出した複数のデザイン画像２１とのマッチングを行う。その結果、デザイン画像１０Ａが複数のデザイン画像２１のいずれともマッチしなかった場合には、デザイン検出部３０は、マッチしなかったことを示すアンマッチ信号をデザイン決定部４０に出力する。なお、このとき、デザイン画像１０Ａが複数のデザイン画像２１のいずれかとマッチした場合には、デザイン検出部３０は、２回目以降の印刷を行う手順（後述）に移行する。デザイン決定部４０は、デザイン検出部３０からアンマッチ信号が入力されると、デザイン画像２１のグループに関する情報を、管理テーブル２２から読み出し、操作部５０に出力する。
【００５０】
操作部５０は、入力された情報（デザイン画像２１のグループに関する情報）を表示するとともに、ユーザにグループの選択を促す。操作部５０は、ユーザによってグループが入力されるとともに選択されると、選択されたグループをデザイン決定部４０に出力する。デザイン決定部４０は、入力されたグループに属する各デザイン画像２１のデザインＩＤおよびメンバＩＤを、管理テーブル２２から読み出し、読み出した１または複数のデザインＩＤおよび１または複数のメンバＩＤを検出結果３０Ａとする。デザイン決定部４０は、必要に応じて、１または複数のデザイン画像３０ＢのデザインＩＤの中から、印刷不可のデザインＩＤを除外したものを選択する。例えば、操作部５０から入力されたキャラクタＩＤがＩＤ＝１であった場合、デザイン決定部４０は、管理テーブル２２においてキャラクタＩＤ＝１に対応する各デザインＩＤの中から、印刷可否＝不可となっているデザインＩＤを除外したものを選択する。デザイン決定部４０は、さらに、必要に応じて、１または複数のデザインＩＤの中から、グループ条件を満たさないデザインＩＤを除外したものを選択する。
【００５１】
なお、デザイン画像１０Ａが複数のデザイン画像２１のいずれともマッチしなかった場合に、デザイン検出部３０が、特定のグループを選択してもよい。この場合、デザイン検出部３０は、選択したグループに属する各デザイン画像２１のデザインＩＤおよびメンバＩＤを、管理テーブル２２から読み出し、読み出した１または複数のデザインＩＤおよび１または複数のメンバＩＤを検出結果３０Ａとする。
【００５２】
デザイン決定部４０は、検出結果３０Ａの中に含まれる１または複数のデザインＩＤ、または、グループ条件および印刷可否のうち少なくとも一方に基づいて選択した１または複数のデザインＩＤの中から、印刷用の１または複数のデザインＩＤを決定する。デザイン決定部４０は、決定した１または複数のデザインＩＤに対応するデザイン画像４０Ａを印刷条件決定部６０に出力する。
【００５３】
次に、印刷装置１は、印刷条件を設定する（ステップＳ１０３）。具体的には、印刷条件決定部６０は、デザイン決定部４０から入力された１または複数のデザイン画像４０Ａの印刷位置を決定する。例えば、印刷条件決定部６０は、カメラ１０で得られたデザイン画像１０Ａの中から、印刷に適した領域（例えば、未印刷の爪）を検出し、検出した領域を印刷位置として決定する。また、例えば、印刷条件決定部６０は、カメラ１０で得られたデザイン画像１０Ａと、１または複数のデザイン画像４０Ａとを操作部５０に出力する。すると、操作部５０は、入力されたデザイン画像１０Ａおよび１または複数のデザイン画像４０Ａを表示する（ステップＳ２０１，図９）。操作部５０は、さらに、ユーザに対して、印刷位置の設定を促す。操作部５０は、ユーザによって印刷位置が入力されるとともに設定されると（ステップＳ２０２，図９）、設定された印刷位置を印刷条件決定部６０に出力する。印刷条件決定部６０は、設定され印刷位置と、１または複数のデザイン画像４０Ａとを印刷データ６０Ａとして印刷部７０に出力する。
【００５４】
最後に、印刷装置１は、印刷条件決定部６０の指示に従って印刷を行う（ステップＳ１０４）。例えば、印刷装置１は、印刷条件決定部６０から入力された１または複数のデザイン画像４０Ａを、印刷条件決定部６０から指定された印刷位置に印刷する。このようにして、印刷装置１における印刷が実施される。このとき、指１００の爪１００Ａには、例えば、図１０に示したように、キャラクタＡの顔のデザイン画像２１が描かれた印刷物２００が印刷される。
【００５５】
（２回目以降の印刷）
図１１は、印刷装置１において２回目以降の印刷を行うときときの印刷手順の一例を表したものである。まず、印刷装置１は、１または複数のデザイン画像４０Ａを決定する（ステップＳ３０１）。
【００５６】
印刷装置１は、まず、被印刷面の準備をユーザＣに要求する。印刷装置１は、例えば、ユーザＣの指を印刷装置１における所定の位置に置くよう要求する。ユーザＣは、印刷装置１からの要求に応じて、自身の指を印刷装置１における所定の位置に置く。次に、カメラ１０が、被印刷面を撮影し、デザイン画像１０Ａを取得する（ステップＳ４０１，図１２）。カメラ１０は、取得したデザイン画像１０Ａをデザイン検出部３０に出力する。
【００５７】
デザイン検出部３０は、カメラ１０から入力されたデザイン画像１０Ａと、記憶部２０から読み出した複数のデザイン画像２１とのマッチングを行う（ステップＳ４０２，図１２）。その結果、デザイン画像１０Ａが複数のデザイン画像２１のいずれともマッチしなかった場合には、１回目以降の印刷を行う手順に移行する。デザイン画像１０Ａと複数のデザイン画像２１とがマッチした場合には、デザイン検出部３０は、マッチした１または複数のデザイン画像２１のグループと同一のグループに属する複数のデザイン画像２１の中から、マッチしたデザイン画像２１とは異なる１または複数のデザイン画像２１（３０Ｂ）を抽出する。このとき、デザイン検出部３０は、記憶部２０から読み出した管理テーブル２２に基づいて、マッチした１または複数のデザイン画像２１のグループと同一のグループに属する複数のデザイン画像２１の中から１または複数のデザイン画像３０Ｂを抽出する。
【００５８】
例えば、デザイン検出部３０は、マッチした１または複数のデザイン画像２１のグループＩＤを、管理テーブル２２から抽出し、特定する（ステップＳ４０３，図１２）。デザイン検出部３０は、特定したグループＩＤと同一のグループＩＤに属する複数のデザインＩＤの中から、マッチしたデザイン画像２１のデザインＩＤとは異なる１または複数のデザインＩＤを抽出する。このようにして、デザイン検出部３０は、デザイン決定部４０に出力する１または複数のデザインＩＤを特定する（ステップＳ４０４，図１２）。デザイン検出部３０は、特定した１または複数のデザインＩＤと、マッチした１または複数のデザイン画像２１のメンバＩＤとを検出結果３０Ａとしてデザイン決定部４０に出力する。
【００５９】
デザイン決定部４０は、必要に応じて、１または複数のデザイン画像３０ＢのデザインＩＤの中から、印刷不可のデザインＩＤを除外したものを選択する。例えば、操作部５０から入力されたキャラクタＩＤがＩＤ＝１であった場合、デザイン決定部４０は、管理テーブル２２においてキャラクタＩＤ＝１に対応する各デザインＩＤの中から、印刷可否＝不可となっているデザインＩＤを除外したものを選択する。デザイン決定部４０は、さらに、必要に応じて、１または複数のデザイン画像３０ＢのデザインＩＤの中から、グループ条件を満たさないデザインＩＤを除外したものを選択する。例えば、図３に示したように、グループＩＤ＝１に属するメンバＩＤが１，２，３だけであり、グループ条件が「メンバＩＤ＝２，３」となっているメンバＩＤが１となっている場合に、検出結果３０Ａの中に、メンバＩＤ＝２に対応するデザインＩＤと、メンバＩＤ＝３に対応するデザインＩＤとが含まれていたときには、デザイン決定部４０は、グループ条件が「メンバＩＤ＝２，３」となっているデザインＩＤを選択する。このとき、デザイン決定部４０は、グループＩＤ＝１に属する全ての通常デザインの収集が完了したと判断して、グループＩＤ＝１に属するグループデザインを選択していることになる。
【００６０】
デザイン決定部４０は、例えば、１または複数のデザイン画像３０ＢのデザインＩＤごとに、グループ条件を満たすか否か判定する（ステップＳ５０１、図１３）。その結果、グループ条件を満たす１または複数のデザインＩＤが存在する場合には、グループ条件を満たすデザインＩＤごとに、印刷可のグループデザインが存在するか否か判定する（ステップＳ５０２、図１３）。その結果、印刷可のグループデザインが存在する場合には、特定したグループＩＤに属する１または複数のグループデザインを１または複数のデザイン画像４０Ａに設定する（ステップＳ５０３、図１３）。また、印刷可のグループデザインが存在しない場合には、デザイン決定部４０は、そのまま終了する。
【００６１】
一方、グループ条件を満たす１または複数のデザインＩＤが存在しない場合には、グループ条件の設定されていないデザインＩＤごとに、印刷可の通常デザインが存在するか否か判定する（ステップＳ５０４、図１３）。その結果、印刷可の通常デザインが存在する場合には、特定したグループＩＤに属する１または複数の通常デザインを１または複数のデザイン画像４０Ａに設定する（ステップＳ５０５、図１３）。また、印刷可の通常デザインが存在しない場合には、デザイン決定部４０は、そのまま終了する。
【００６２】
デザイン決定部４０は、検出結果３０Ａの中に含まれる１または複数のデザインＩＤ、または、グループ条件および印刷可否のうち少なくとも一方に基づいて選択した１または複数のデザインＩＤの中から、印刷用の１または複数のデザインＩＤを決定する。デザイン決定部４０は、決定した１または複数のデザインＩＤに対応するデザイン画像４０Ａを印刷条件決定部６０に出力する。
【００６３】
次に、印刷装置１は、印刷条件を設定する（ステップＳ３０２）。具体的には、印刷条件決定部６０は、デザイン決定部４０から入力された１または複数のデザイン画像４０Ａの印刷位置を決定する。例えば、印刷条件決定部６０は、カメラ１０で得られたデザイン画像１０Ａの中から、印刷に適した領域（例えば、未印刷の爪）を検出し、検出した領域を印刷位置として決定する。また、例えば、印刷条件決定部６０は、カメラ１０で得られたデザイン画像１０Ａと、１または複数のデザイン画像４０Ａとを操作部５０に出力する。すると、操作部５０は、入力されたデザイン画像１０Ａおよび１または複数のデザイン画像４０Ａを表示する（ステップＳ２０１，図９）。操作部５０は、さらに、ユーザに対して、印刷位置の設定を促す。操作部５０は、ユーザによって印刷位置が入力されるとともに設定されると（ステップＳ２０２，図９）、設定された印刷位置を印刷条件決定部６０に出力する。印刷条件決定部６０は、設定され印刷位置と、１または複数のデザイン画像４０Ａとを印刷データ６０Ａとして印刷部７０に出力する。
【００６４】
最後に、印刷装置１は、印刷条件決定部６０の指示に従って印刷を行う（ステップＳ３０３）。例えば、印刷装置１は、印刷条件決定部６０から入力された１または複数のデザイン画像４０Ａを、印刷条件決定部６０から指定された印刷位置に印刷する。このようにして、印刷装置１における印刷が実施される。
【００６５】
[効果]
次に、印刷装置１の効果について説明する。
【００６６】
従来の印刷装置では、あらかじめ用意された複数のデザイン画像の中からユーザが選択したものや、ユーザ自らが入力したデザイン画像が印刷される。そのため、ユーザに提示する１または複数のデザイン画像や、印刷するデザイン画像を状況に応じて自動的に設定することができなかった。その結果、ユーザに提示するデザイン画像や、印刷するデザイン画像として、例えば、ユーザの行動や体験を反映させたデザイン画像を設定することができなかった。
【００６７】
一方、印刷装置１では、カメラ１０で取得したデザイン画像１０Ａに基づいて、デザイン画像１０Ａとは異なる１または複数のデザイン画像４０Ａが決定される。これにより、ユーザに提示する１または複数のデザイン画像４０Ａや、印刷する１または複数のデザイン画像４０Ａをデザイン画像１０Ａに基づいて印刷装置１で状況に応じて自動的に設定することができる。その結果、例えば、ユーザに提示する１または複数のデザイン画像４０Ａや、印刷する１または複数のデザイン画像４０Ａとして、例えば、ユーザの行動や体験を反映させた画像を印刷装置１で状況に応じて自動的に設定することができる。
【００６８】
また、印刷装置１では、印刷条件決定部６０による指示に従って印刷を行う印刷部７０が設けられているので、状況に応じて自動的に設定した１または複数のデザイン画像４０Ａを直ちに印刷することができる。従って、ユーザの行動や体験を妨げない態様で、印刷を行うことができる。
【００６９】
また、印刷装置１では、複数のデザイン画像２１を記憶する記憶部２０が設けられているので、通信環境が悪い場合であっても、１または複数のデザイン画像４０Ａを状況に応じて自動的に設定することができる。従って、ユーザの行動や体験を妨げない態様で、印刷を行うことができる。
【００７０】
また、印刷装置１では、複数のデザイン画像２１をグループごとに管理する管理テーブル２２が記憶部２０に記憶されている。これにより、状況に応じて自動的に設定する１または複数のデザイン画像４０Ａと、過去に印刷された画像との関連性を、管理テーブル２２によって制御することができる。その結果、印刷された各画像において、デザインに統一感を持たせることができる。従って、ユーザの行動や体験を反映させた印刷を行うことができる。
【００７１】
また、印刷装置１では、過去に印刷されたデザイン画像がカメラ１０によって取得される。これにより、カメラ１０で取得したデザイン画像１０Ａと、記憶部２０から読み出した複数のデザイン画像２１とのマッチングを利用して、１または複数のデザイン画像４０Ａの動的な設定を容易に行うことができる。従って、ユーザの行動や体験を妨げない態様で、印刷を行うことができる。
【００７２】
＜２．第１の実施の形態の変形例＞
図１４は、印刷装置１の機能ブロックの一変形例を表したものである。上記第１の実施の形態において、カメラ１０、記憶部２０、デザイン検出部３０、デザイン決定部４０、操作部５０および印刷条件決定部６０を含む装置が電子機器１Ａによって構成されていてもよい。電子機器１Ａは、例えば、スマートフォンなどの携帯端末によって構成されている。この場合、電子機器１Ａは、印刷装置１の筐体から着脱可能に構成されている。印刷装置１がこのような構成となっている場合であっても、上記第１の実施の形態と同様、ユーザに提示する１または複数のデザイン画像４０Ａや、印刷する１または複数のデザイン画像４０Ａを印刷装置１で状況に応じて自動的に設定することができる。
【００７３】
＜３．第２の実施の形態＞
次に、本技術の第２の実施の形態に係る印刷システム２について説明する。図１５は、印刷システム２の概略構成の一例を表したものである。図１６は、印刷システム２の機能ブロックの一例を表したものである。印刷システム２は、印刷装置３および情報処理装置４を備えている。印刷装置３および情報処理装置４は、ネットワーク５に接続されており、ネットワーク５を介して互いに通信可能となっている。
【００７４】
（ネットワーク５）
ネットワーク５は、例えば、インターネットで標準的に利用されている通信プロトコル（ＴＣＰ／ＩＰ）を用いて通信を行うネットワークであってもよく、そのネットワーク独自の通信プロトコルを用いて通信を行うセキュアなネットワークであってもよい。ネットワーク５は、例えば、インターネット、イントラネット、または、ローカルエリアネットワークである。ネットワーク５と、印刷装置３または情報処理装置４との接続は、例えば、イーサネット（登録商標）等の有線ＬＡＮ（local Area Network）であってもよいし、Ｗｉ−Ｆｉ等の無線ＬＡＮや、携帯電話回線などであってもよい。
【００７５】
（印刷装置３）
印刷装置３は、カメラ１０、操作部５０、印刷条件決定部６０、印刷部７０および通信部９０を有している。通信部９０が、本技術の「第１送信部」「第１受信部」の一具体例に相当する。通信部９０は、カメラ１０で取得したデザイン画像１０Ａを、ネットワーク５を介して情報処理装置４（通信部８０）に送信する。通信部９０は、さらに、情報処理装置４（通信部８０）から、カメラ１０で取得したデザイン画像１０Ａとは異なる１または複数のデザイン画像４０Ａを、ネットワーク５を介して受信するとともに、受信した１または複数のデザイン画像４０Ａを印刷条件決定部６０に出力する。
【００７６】
印刷条件決定部６０は、情報処理装置４から受信した１または複数のデザイン画像４０Ａの印刷を指示する。具体的には、印刷条件決定部６０は、決定した印刷位置と、デザイン決定部４０から入力された１または複数のデザイン画像４０Ａとを印刷データ６０Ａとして印刷部７０に出力する。印刷部７０は、印刷条件決定部６０による指示に従って印刷を行う。具体的には、印刷部７０は、印刷データ６０Ａに含まれる印刷位置に、印刷データ６０Ａに含まれる１または複数のデザイン画像４０Ａを印刷する。
【００７７】
（情報処理装置４）
情報処理装置４は、記憶部２０、デザイン検出部３０、デザイン決定部４０および通信部８０を有している。通信部８０が、本技術の「第２送信部」「第２受信部」の一具体例に相当する。通信部８０は、印刷装置３（通信部９０）から、カメラ１０で取得したデザイン画像１０Ａを受信するとともに、受信したデザイン画像１０Ａをデザイン検出部３０に出力する。デザイン決定部４０は、通信部８０で受信したデザイン画像１０Ａに基づいて、１または複数のデザイン画像４０Ａを決定する。通信部８０は、さらに、デザイン決定部４０で決定した１または複数のデザイン画像４０Ａを、ネットワーク５を介して印刷装置３（通信部９０）に送信する。
【００７８】
本実施の形態では、カメラ１０で取得したデザイン画像１０Ａに基づいて、カメラ１０で取得したデザイン画像１０Ａとは異なる１または複数のデザイン画像４０Ａが決定される。これにより、ユーザに提示する１または複数のデザイン画像４０Ａや、印刷する１または複数のデザイン画像４０Ａを、カメラ１０で取得したデザイン画像１０Ａに基づいて印刷システム２で状況に応じて自動的に設定することができる。従って、ユーザに提示する１または複数のデザイン画像４０Ａや、印刷する１または複数のデザイン画像４０Ａを印刷システム２で状況に応じて自動的に設定することができる。
【００７９】
＜４．第２の実施の形態の変形例＞
図１７は、印刷システム２の機能ブロックの一変形例を表したものである。上記第２の実施の形態において、カメラ１０、操作部５０、印刷条件決定部６０および通信部９０を含む装置が電子機器３Ａによって構成されていてもよい。電子機器３Ａは、例えば、スマートフォンなどの携帯端末によって構成されている。この場合、電子機器３Ａは、印刷装置３の筐体から着脱可能に構成されている。印刷システム２がこのような構成となっている場合であっても、上記第２の実施の形態と同様、ユーザに提示する１または複数のデザイン画像４０Ａや、印刷する１または複数のデザイン画像４０Ａを印刷システム２で状況に応じて自動的に設定することができる。
【００８０】
＜５．各実施の形態に共通の変形例＞
[変形例Ａ]
上記各実施の形態およびそれらの変形例では、例えば、図１８に示したように、被印刷面にデザイン画像１０Ｂが形成されており、被印刷面のデザイン画像１０Ｂがカメラ１０によって撮像されることにより、デザイン画像１０Ａが得られていた。なお、図１８には、印刷物２００が指１００の爪１００Ａの表面に形成されている様子が例示されている。
【００８１】
しかし、上記各実施の形態およびそれらの変形例において、例えば、図１９に示したように、デザイン画像１０Ｂの施された印刷物２００の中に電子タグ３００が埋め込まれるとともに、カメラ１０の代わりに、電子タグ３００と通信可能な読み取り装置１１が設けられていてもよい。デザイン画像１０Ｂは、記憶部２０に記憶された複数のデザイン画像２１のうちのいずれか１つが印刷装置１によって印刷されることにより形成されたものである。
【００８２】
電子タグ３００は、ＲＦＩＤ（Radio Frequency Identification）タグや、ＩＣ（Integrated Circuit）タグなどの総称である。電子タグ３００は、例えば、ＩＣチップおよびアンテナによって構成されている。ＩＣチップは、例えば、制御回路およびメモリ回路を有している。ＩＣチップ内のメモリ回路は、印刷物２００に施されたデザイン画像１０Ｂに対応する対応データを含んでおり、例えば、デザイン画像１０ＢのデザインＩＤを含んでいる。読み取り装置１１は、例えば、通信部および演算部を有している。通信部は、電子タグ３００に電波を送出するとともに、電子タグ３００から送出された電波を受信する。演算部は、通信部で受信した電波に含まれるデータを取り出し、デザイン検出部３０または通信部９０に出力する。
【００８３】
読み取り装置１１は、電子タグ３００から読み取ることにより１または複数のデザインＩＤを取得する。１または複数のデザインＩＤは、本技術の「対応データ」の一具体例に相当する。読み取り装置１１は、電子タグ３００に電波を送出する。電子タグ３００は、読み取り装置１１から送出された電波によって生成された電力を利用して、電子タグ３００に内蔵されたデータを読み出し、読み出したデータを含む電波を読み取り装置１１に送出する。読み取り装置１１は、電子タグ３００から送出された電波を受信し、受信した電波に含まれるデータを取り出す。ここで、電子タグ３００から読み出されるデータは、印刷物２００に施されたデザイン画像１０Ｂに対応する対応データであり、例えば、デザイン画像１０ＢのデザインＩＤを含む。なお、複数の印刷物２００が配置されている場合、読み取り装置１１は、各印刷物２００に埋め込まれた電子タグ３００から読み取ることにより複数のデザインＩＤを得る。
【００８４】
本変形例では、電子タグ３００から取得したデータ（例えば、デザインＩＤ）に基づいて、電子タグ３００が埋め込まれた印刷物２００に施されたデザイン画像１０Ｂとは異なる１または複数のデザイン画像４０Ａが決定される。これにより、ユーザに提示する１または複数のデザイン画像４０Ａや、印刷する１または複数のデザイン画像４０Ａを、電子タグ３００から取得したデータ（例えば、デザインＩＤ）に基づいて設定することができる。従って、ユーザに提示する１または複数のデザイン画像４０Ａや、印刷する１または複数のデザイン画像４０Ａを、印刷装置１または印刷システム２で状況に応じて自動的に設定することができる。
【００８５】
[変形例Ｂ]
上記各実施の形態およびそれらの変形例において、被印刷面に施されたデザイン画像（例えば、デザイン画像１０Ｂ）が、原デザイン画像に挿入デザイン画像が合成されたデザイン画像であってもよい。挿入デザイン画像は、被印刷面に施されたデザイン画像（例えば、デザイン画像１０Ｂ）に対応するデザイン画像２１のデザインＩＤを所定のアルゴリズムによって変換することにより得られた画像である。
【００８６】
本変形例では、カメラ１０は、デザイン画像１０Ａを、被印刷面に施されたデザイン画像（例えば、デザイン画像１０Ｂ）の撮像により取得する。カメラ１０は、さらに、デザイン画像１０Ａから挿入デザイン画像を分離し、分離により得られた挿入デザイン画像に基づいて、被印刷面に施されたデザイン画像（例えば、デザイン画像１０Ｂ）に対応するデザイン画像２１のデザインＩＤを取得する。なお、複数のデザイン画像１０Ｂが形成されている場合、カメラ１０は、各デザイン画像１０Ｂから、各デザイン画像１０Ｂに対応するデザイン画像２１のデザインＩＤを取得する。カメラ１０は、取得した１または複数のデザインＩＤを検出結果１０Ｃとしてデザイン検出部３０に出力する。
【００８７】
デザイン検出部３０は、検出結果１０Ｃの中に含まれる１または複数のデザインＩＤの中から、印刷用の１または複数のデザインＩＤを決定する。なお、デザイン検出部３０は、検出結果１０Ｃの中に含まれる１または複数のデザインＩＤに対して、グループ条件および印刷可否のうち少なくとも一方に基づいて選択した１または複数のデザインＩＤの中から、印刷用の１または複数のデザインＩＤを決定してもよい。
【００８８】
本変形例では、カメラ１０で取得した検出結果１０Ｃに基づいて、デザイン画像１０Ａとは異なる１または複数のデザイン画像４０Ａが決定される。これにより、ユーザに提示する１または複数のデザイン画像４０Ａや、印刷する１または複数のデザイン画像４０Ａをデザイン画像１０Ａに基づいて、印刷装置１または印刷システム２で状況に応じて自動的に設定することができる。その結果、例えば、ユーザに提示する１または複数のデザイン画像４０Ａや、印刷する１または複数のデザイン画像４０Ａとして、例えば、ユーザの行動や体験を反映させた画像を、印刷装置１または印刷システム２で状況に応じて自動的に設定することができる。
【００８９】
以上、複数の実施の形態およびそれらの変形例を挙げて本技術を説明したが、本技術は上記実施の形態等に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。
【００９０】
上記実施の形態等では、複数の印刷装置１をテーマパークで使用する場合が例示されていたが、他の用途で使用することはもちろん可能である。
【００９１】
例えば、世界遺産などの名所において、旅行者であるユーザＣが、訪れた拠点ごとに、その拠点のデザインが施されたネイルアートを収集するイベントで、複数の印刷装置１が使用されてもよい。この場合、所定の拠点ごとに印刷装置１が設置され、各印刷装置１には、拠点ごとのキャラクタＩＤが設定される。また、例えば、印刷装置１は、あるグループの通常デザインの収集が完了した場合には、特別デザイン（グループデザイン）をユーザＣの爪１００Ａなどの被印刷面に印刷する。ここで、印刷装置１は、上記変形例Ｂに示したように、原デザイン画像に挿入デザイン画像が合成されたデザイン画像を爪１００Ａなどの被印刷面に印刷してもよい。このとき、挿入デザイン画像は、例えば、訪れた拠点の名称を所定のアルゴリズムによって変換することにより得られた画像である。
【００９２】
また、例えば、マラソンにおいて、走者であるユーザＣが、訪れたチェックポイントごとに、そのチェックポイントに関係するデザインが施されたネイルアートを収集するイベントで、複数の印刷装置１が使用されてもよい。この場合、チェックポイントごとに印刷装置１が設置され、各印刷装置１には、チェックポイントごとのキャラクタＩＤが設定される。ここで、例えば、チェックポイントごとの印刷において、所定の電子タグ３００が埋め込まれてもよい。このようにした場合に、ゴール地点で、各チェックポイントで埋め込まれた電子タグ３００が検出されたとき（あるグループの通常デザインの収集が完了したとき）には、印刷装置１は、完走を表すデザイン（グループデザイン）をユーザＣの爪１００Ａなどの被印刷面に印刷する。
【００９３】
また、上記実施の形態等では、ユーザＣの爪１００Ａが被印刷面となっている場合が例示されていたが、例えば、スタンプラリーの用紙や、マグカップの周面、スマートフォンのカバーなどが被印刷面となっていてもよい。
【００９４】
また、例えば、本技術は以下のような構成を取ることができる。
（１）
第１デザイン画像または前記第１デザイン画像に対応する対応データを取得する取得部と、
前記取得部で取得した前記第１デザイン画像または前記対応データに基づいて、前記第１デザイン画像とは異なる１または複数の第２デザイン画像を決定する決定部と、
前記決定部で決定した１または複数の前記第２デザイン画像の印刷を指示する指示部と
を備えた
電子機器。
（２）
複数の第３デザイン画像を記憶する記憶部をさらに備え、
前記決定部は、複数の前記第３デザイン画像の中から１または複数の前記第２デザイン画像を決定する
（１）に記載の電子機器。
（３）
前記記憶部は、複数の前記第３デザイン画像をグループごとに管理する管理テーブルをさらに記憶し、
前記決定部は、前記第１デザイン画像のグループと同一のグループに属する複数の前記第３デザイン画像の中から１または複数の前記第２デザイン画像を決定する
（２）に記載の電子機器。
（４）
前記決定部は、前記第１デザイン画像と複数の前記第３デザイン画像とのマッチングを行い、その結果、マッチした１または複数の前記第３デザイン画像のグループと同一のグループに属する複数の前記第３デザイン画像の中から１または複数の前記第２デザイン画像を決定する
（３）に記載の電子機器。
（５）
前記取得部は、前記第１デザイン画像を撮像により取得する撮像装置である
（１）ないし（４）のいずれか１つに記載の電子機器。
（６）
前記取得部は、前記第１デザイン画像として、原デザイン画像に挿入デザイン画像が合成されたデザイン画像を撮像したのち、前記第１デザイン画像から分離した前記挿入デザイン画像に基づいて前記対応データを取得する読み取り装置である
（１）ないし（４）のいずれか１つに記載の電子機器。
（７）
前記取得部は、電子タグから読み取ることにより前記対応データを取得する読み取り装置である
（１）ないし（４）のいずれか１つに記載の電子機器。
（８）
前記指示部による指示に従って印刷を行う印刷部をさらに備えた
（１）ないし（７）のいずれか１つに記載の電子機器。
（９）
印刷装置から、第１デザイン画像または前記第１デザイン画像に対応する対応データを受信する受信部と、
前記受信部で受信した前記第１デザイン画像または前記対応データに基づいて、前記第１デザイン画像とは異なる１または複数の第２デザイン画像を決定する決定部と、
前記決定部で決定した１または複数の前記第２デザイン画像を前記印刷装置に送信する送信部と
を備えた
情報処理装置。
（１０）
複数の第３デザイン画像を記憶する記憶部をさらに備え、
前記決定部は、複数の前記第３デザイン画像の中から１または複数の前記第２デザイン画像を決定する
（９）に記載の情報処理装置。
（１１）
前記記憶部は、複数の前記第３デザイン画像をグループごとに管理する管理テーブルをさらに記憶し、
前記決定部は、前記第１デザイン画像のグループと同一のグループに属する複数の前記第３デザイン画像の中から１または複数の前記第２デザイン画像を決定する
（１０）に記載の情報処理装置。
（１２）
前記決定部は、前記第１デザイン画像と複数の前記第３デザイン画像とのマッチングを行い、その結果、マッチした１または複数の前記第３デザイン画像のグループと同一のグループに属する複数の前記第３デザイン画像の中から１または複数の前記第２デザイン画像を決定する
（１１）に記載の情報処理装置。
（１３）
互いに通信可能な印刷装置および情報処理装置を備え、
前記印刷装置は、
第１デザイン画像または前記第１デザイン画像に対応する対応データを取得する取得部と、
前記取得部で取得した前記第１デザイン画像または前記対応データを前記情報処理装置に送信する第１送信部と、
前記情報処理装置から前記第１デザイン画像とは異なる１または複数の第２デザイン画像を受信する第１受信部と、
前記第１受信部で受信した１または複数の前記第２デザイン画像の印刷を指示する指示部と、
前記指示部による指示に従って印刷を行う印刷部と
を有し、
前記情報処理装置は、
前記印刷装置から前記第１デザイン画像または前記対応データを受信する第２受信部と、
前記第２受信部で受信した前記第１デザイン画像または前記対応データに基づいて、１または複数の前記第２デザイン画像を決定する決定部と、
前記決定部で決定した１または複数の前記第２デザイン画像を前記印刷装置に送信する第２送信部と
を有する
印刷システム。
（１４）
第１デザイン画像または前記第１デザイン画像に対応する対応データを取得したのち、取得した前記第１デザイン画像または前記対応データに基づいて、前記第１デザイン画像とは異なる１または複数の第２デザイン画像を決定することと、
決定した１または複数の前記第２デザイン画像を印刷することと
を含む
印刷方法。
【００９５】
本出願は、日本国特許庁において２０１５年１２月１８日に出願された日本特許出願番号第２０１５−２４７２６８号を基礎として優先権を主張するものであり、この出願のすべての内容を参照によって本出願に援用する。
【００９６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2017104545.tif 000003
【図２】
2017104545.tif 000004
【図３】
2017104545.tif 000005
【図４】
2017104545.tif 000006
【図５】
2017104545.tif 000007
【図６】
2017104545.tif 000008
【図７】
2017104545.tif 000009
【図８】
2017104545.tif 000010
【図９】
2017104545.tif 000011
【図１０】
2017104545.tif 000012
【図１１】
2017104545.tif 000013
【図１２】
2017104545.tif 000014
【図１３】
2017104545.tif 000015
【図１４】
2017104545.tif 000016
【図１５】
2017104545.tif 000017
【図１６】
2017104545.tif 000018
【図１７】
2017104545.tif 000019
【図１８】
2017104545.tif 000020
【図１９】
2017104545.tif 000021
【国際調査報告】
2017104545.tif 000022
2017104545.tif 000023
2017104545.tif 000024
2017104545.tif 000025